(57)【要約】【課題】操作メニュー画面が隠れている状態で、当該操作メニュー画面における特定の操作が行われたかどうかをユーザに認識させる。【解決手段】本発明の表示方法は、タブの操作により、表示・非表示が切り替わる複数の操作メニュー画面を画面上に表示する手順と、前記複数の操作メニュー画面の少なくともひとつの操作メニュー画面において特定の操作がされた場合に、少なくとも該操作メニュー画面が非表示のときにおいて、該操作メニュー画面に対応する前記タブに、操作がされた旨を示す操作済指標を表示する手順とを備える。この表示方法により、操作メニュー画面が隠れている状態で、当該操作メニュー画面における特定の操作が行われたかどうかをユーザが認識することができる。【選択図】図４
2007086825.tif 000002
【特許請求の範囲】
【請求項１】
タブの操作により、表示・非表示が切り替わる複数の操作メニュー画面を画面上に表示する手順と、
前記複数の操作メニュー画面の少なくともひとつの操作メニュー画面において特定の操作がされた場合に、少なくとも該操作メニュー画面が非表示のときにおいて、該操作メニュー画面に対応する前記タブに、操作がされた旨を示す操作済指標を表示する手順と
を備える表示方法。
【請求項２】
操作メニュー画面の操作の対象となる対象画面を、選択された操作メニュー画面および前記複数のタブと共に前記画面上に表示する手順
をさらに備え、
前記特定の操作は、操作後の画面から、該操作を行ったか否かが認識しにくい操作である請求項１に記載の表示方法。
【請求項３】
選択されている前記操作メニュー画面に対応する前記タブに、前記操作メニュー画面が選択されている旨を示す選択指標を表示する手順をさらに備える請求項１に記載の表示方法。
【請求項４】
表示装置を制御するプログラムであって、前記表示装置に
タブの操作により、表示・非表示が切り替わる複数の操作メニュー画面を画面上に表示する手順、および、
前記複数の操作メニュー画面の少なくともひとつの操作メニュー画面において特定の操作がされた場合に、少なくとも該操作メニュー画面が非表示のときにおいて、該操作メニュー画面に対応する前記タブに、操作がされた旨を示す操作済指標を表示する手順
を実行させるためのプログラム。
【請求項５】
タブの操作により、表示・非表示が切り替わる複数の操作メニュー画面を画面上に表示する操作メニュー表示部を備え、
前記操作メニュー表示部は、前記複数の操作メニュー画面の少なくともひとつの操作メニュー画面において特定の操作がされた場合に、少なくとも該操作メニュー画面が非表示のときにおいて、該操作メニュー画面に対応する前記タブに、操作がされた旨を示す操作済指標を表示する表示装置。
【発明の詳細な説明】
【技術分野】
【０００１】
本発明は、表示方法、プログラム及び表示装置に関する。特に、本発明は、表示する画面を選択するタブを表示する表示方法、プログラム及び表示装置に関する。
【背景技術】
【０００２】
従来より、タブを利用した操作メニュー画面の切替制御が知られている。タブを用いた操作メニュー画面の切り替えを行う場合、コンピュータ等は、操作メニュー画面に対応付けられた複数のタブを並べて表示し、これら複数のタブのうち選択されたタブに対応した操作メニュー画面を切り換えて表示する。
コンピュータ等は、このようなタブを用いた切り替えを行うことにより、限られた画面領域に多数の操作メニューを表示することができる。これにより、コンピュータ等は、画面スクロール及び画面切換等の煩雑な操作をさせずに、多数の操作メニューをユーザに表示することができる。
また、プリンタ等を接続されるコンピュータのユーザインタフェースにおいて、特定の項目を強調表示するユーザインタフェースが知られている（特許文献１）。
【特許文献１】特開２００４−３０１６５号公報
【発明の開示】
【発明が解決しようとする課題】
【０００３】
ところで、このようなタブを用いた切り替えを行った場合、タブによって選択されていない操作メニュー画面は、表示されずに隠れてしまう。このため、隠れている操作メニュー画面についての情報をユーザが認識することは困難であった。
【課題を解決するための手段】
【０００４】
上記課題を解決するために、本発明の第１の形態においては、表示方法であって、タブの操作により、表示・非表示が切り替わる複数の操作メニュー画面を画面上に表示する手順と、前記複数の操作メニュー画面の少なくともひとつの操作メニュー画面において特定の操作がされた場合に、少なくとも該操作メニュー画面が非表示のときにおいて、該操作メニュー画面に対応する前記タブに、操作がされた旨を示す操作済指標を表示する手順とを備える。この表示方法により、操作メニュー画面が隠れている状態で、当該操作メニュー画面における特定の操作が行われたかどうかをユーザが認識することができる。
【０００５】
上記表示方法において、操作メニュー画面の操作の対象となる対象画面を、選択された操作メニュー画面および前記複数のタブと共に前記画面上に表示する手順をさらに備えてよい。ここで、前記特定の操作は、操作後の画面から該操作を行ったか否かが認識しにくい操作である。これにより、上記表示方法において、対象画像に対して既に、操作後の画面から該操作を行ったか否かが認識しにくい特定の操作が行われたかどうかをユーザが認識することができる。
【０００６】
上記表示方法において、選択されている操作メニュー画面に対応するタブに、操作メニュー画面が選択されている旨を示す選択指標を表示する手順をさらに備えてもよい。これにより、上記表示方法において、操作メニュー画面が選択されている旨と、当該操作メニュー画面における特定の操作が行われたかどうかを別個にユーザが認識することができる。
【０００７】
本発明の第２の形態においては、表示装置を制御するプログラムであって、前記表示装置に、タブの操作により、表示・非表示が切り替わる複数の操作メニュー画面を画面上に表示する手順、および、前記複数の操作メニュー画面の少なくともひとつの操作メニュー画面において特定の操作がされた場合に、少なくとも該操作メニュー画面が非表示のときにおいて、該操作メニュー画面に対応する前記タブに、操作がされた旨を示す操作済指標を表示する手順を実行させる。この表示装置を制御するプログラムにより、第１の形態と同じ効果を得ることができる。
【０００８】
本発明の第３の形態においては、表示装置であって、タブの操作により、表示・非表示が切り替わる複数の操作メニュー画面を画面上に表示する操作メニュー表示部を備え、前記操作メニュー表示部は、前記複数の操作メニュー画面の少なくともひとつの操作メニュー画面において特定の操作がされた場合に、少なくとも該操作メニュー画面が非表示のときにおいて、該操作メニュー画面に対応する前記タブに、操作がされた旨を示す操作済指標を表示する。この表示装置により、第１の形態と同じ効果を得ることができる。
【０００９】
なお、上記の発明の概要は、本発明の必要な特徴の全てを列挙したものではなく、これらの特徴群のサブコンビネーションもまた、発明となりうる。
【発明を実施するための最良の形態】
【００１０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１１】
図１は、本発明の実施形態に係る画像処理装置１０のハードウェア構成を示す概略図である。デジタルカメラ２０は、光学素子を用いて対象を撮像し、当該対象についてデジタルの画像情報を生成する。画像処理装置１０は、デジタルカメラ２０から画像情報を取得する。画像処理装置１０は、取得した画像情報に対して画像処理をし、また、画像取得又は編集処理をした画像情報をプリンタ３０に出力する。プリンタ３０は、画像処理装置１０から出力された画像情報に基づいて、被記録物に当該画像情報を印刷する。
【００１２】
また、記録媒体５０は、画像処理装置１０により実行される画像処理のアプリケーションプログラムを格納する。画像処理装置１０は、記録媒体５０に格納されたアプリケーションプログラムがインストールされ、画像処理のアプリケーションを実行する。さらに、他の方法として、画像処理装置１０は、そのようなプログラムを、通信回線を介して取得してもよい。
【００１３】
画像処理装置１０は、画像処理のアプリケーションを実行するパーソナルコンピュータ１４と、このパーソナルコンピュータ１４からの出力に基づいてユーザ４０に対して画面を表示する表示装置の一例としてのディスプレイ１２と、ユーザ４０からパーソナルコンピュータ１４への入力手段の一例としてのキーボード１６及びマウス１８とを備える。本実施形態は、表示装置に表示されている操作メニュー画面が隠れている状態で、当該操作メニュー画面における特定の操作が行われたかどうかをユーザ４０が認識することができる画像処理装置１０を提供することを目的とする。
【００１４】
図２は、画像処理装置１０の機能を説明する機能ブロック図である。画像処理装置１０は、アプリケーション処理部１１０と、画像情報格納部１２０と、取込部１３０と、プリント処理部１４０と、操作入力処理部１５０と、ブラウズ処理部１６０と、画像編集処理部１７０と、編集画面表示部１８０とを備える。  
【００１５】
アプリケーション処理部１１０は、画像処理のアプリケーション全体について起動及び終了などの処理をする。画像情報格納部１２０は、画像情報２１０を格納しているとともに、これら画像情報２１０に対する編集の履歴を示す編集履歴情報２２０を格納している。画像情報２１０は、例えばビットマップ又はＪＰＥＧ形式の画像データ等の画像の実体データ、並びに、画像のサムネイル、撮影日、サイズ等の付加情報を含む。画像情報２１０は、デジタルカメラ２０から取得した画像情報に限らず、記録媒体等から取得した画像情報も含む。
【００１６】
取込部１３０は、デジタルカメラ２０と接続され、当該デジタルカメラ２０により撮像された画像情報２１０を取り込む。取込部１３０は、取り込んだ画像情報２１０を画像情報格納部１２０に書き込む。プリント処理部１４０は、プリンタ３０と接続され、画像情報格納部１２０に格納されている画像情報２１０をプリンタ３０に対して出力して、当該プリンタ３０に対して画像情報２１０を印刷させる。操作入力処理部１５０は、キーボード１６及びマウス１８によるユーザ４０による操作入力情報を受け付け、当該操作入力情報をアプリケーション処理部１１０、ブラウズ処理部１６０、画像編集処理部１７０、編集画面表示部１８０等に供給する。
【００１７】
ブラウズ処理部１６０は、各画像情報２１０に含まれている付加情報を画像情報格納部１２０から読み出し、読み出した付加情報に基づき画像情報２１０をユーザ４０に対して閲覧させるブラウズ処理を行う。具体的には、ブラウズ処理部１６０は、サムネイル表示部１６２と、操作メニュー画面表示部１６４と、タブ表示部１６６とを有する。サムネイル表示部１６２は、画像情報格納部１２０に格納されている画像情報２１０のサムネイルのリストをディスプレイ１２に表示する。操作メニュー画面表示部１６４は、画像情報２１０の閲覧用の操作メニュー画面をディスプレイ１２に表示するとともに、閲覧用の操作メニュー画面に対する操作入力に応じた表示制御を行う。タブ表示部１６６は、複数の閲覧用の操作メニュー画面の各々に対応付して設けられた複数のタブを画面上に並べて表示し、当該複数のタブに対するユーザ４０からの選択の入力を受け付ける。そして、操作メニュー画面表示部１６４は、複数の閲覧用の操作メニュー画面のうちからタブにより選択された閲覧用の操作メニュー画面を画面上に表示し、選択されていない操作メニュー画面を非表示にする。これにより、操作メニュー画面表示部１６４は、ユーザ４０によってタブが切り換えられた場合、その切り換えに応じて編集用の操作メニュー画面の表示・非表示を切り替える。
【００１８】
画像編集処理部１７０は、画像情報格納部１２０から対象画像の画像情報２１０の実体データを読み出し、読み出した実体データに対してユーザ４０の操作に従った画像処理を行う。画像編集処理部１７０は、対象画像の実体データを編集画面表示部１８０に出力する。また、画像編集処理部１７０は、編集が終了した場合、編集情報を画像情報格納部１２０に格納するとともに、編集履歴情報２２０を更新する。
【００１９】
編集画面表示部１８０は、画像編集処理部１７０による編集の対象画像を表示するとともに、編集用の操作メニュー画面を表示する。具体的には、編集画面表示部１８０は、編集対象画像表示部１８２と、操作メニュー画面表示部１８４と、タブ表示部１８６とを有する。編集対象画像表示部１８２は、画像編集処理部１７０による編集の対象画像をディスプレイ１２に表示する。なお、編集対象画像表示部１８２は、編集途中であれば、その時の状態の対象画像を表示する。操作メニュー画面表示部１８４は、編集用の操作メニュー画面をディスプレイ１２に表示するとともに、編集用の操作メニュー画面に対する操作入力に応じた表示制御を行う。タブ表示部１８６は、画面上に並べて表示された複数のタブを用いて、編集用の操作メニュー画面の切り替え制御をする。
【００２０】
タブを用いた編集用の操作メニュー画面の切り換え制御は、具体的には次のように行われる。操作メニュー画面表示部１８４は、複数の編集用の操作メニュー画面のうちからタブにより選択された編集用の操作メニュー画面を画面上に表示する。タブ表示部１８６は、それぞれ複数の編集用の操作メニュー画面の各々に対応付して設けられた複数のタブを画面上に並べて表示し、これら複数のタブのうち選択されたタブに対応した編集用の操作メニュー画面を表示し、選択されていないタブに対応した編集用の操作メニュー画面を非表示にする。
【００２１】
図３は、ブラウズ処理中の表示画面の一例を示す図である。
例えばメインメニュー画面からブラウズ処理がユーザ４０により選択された場合、ブラウズ処理部１６０は、ブラウズ処理を開始する。ブラウズ処理部１６０は、ブラウズ処理を開始した場合、ブラウズウィンドウ４００をディスプレイ１２上に表示する。ブラウズウィンドウ４００上には、右上端にクローズボタン４１０が設けられている。ブラウズ処理部１６０は、当該クローズボタン４１０が選択された場合、ブラウズウィンドウ４００を閉じてブラウズ処理を終了する。
【００２２】
サムネイル表示部１６２は、ブラウズウィンドウ４００内に、サムネイルリスト画面４２０を表示する。サムネイルリスト画面４２０には、画像情報格納部１２０に格納された画像情報２１０から取得した複数のサムネイル画像４２２が、リスト状に表示されている。
【００２３】
操作メニュー画面表示部１６４は、ブラウズウィンドウ４００内に、当該ブラウズ処理においてユーザ４０に提示する閲覧用の操作メニュー画面４３０を表示する。操作メニュー画面表示部１６４は、タブ表示部１６６の制御に応じて、複数の閲覧用の操作メニュー画面４３０を切り換え表示する。例えば、操作メニュー画面表示部１６４は、サムネイル画像４２２をソートするための画面、画像回転等させるための画面等を表示する。閲覧用の操作メニュー画面４３０に対してユーザ４０が操作入力した場合、操作メニュー画面表示部１６４は、その操作入力情報に応じた表示制御及び画像情報２１０に対する処理を行う。
【００２４】
タブ表示部１６６は、閲覧用の操作メニュー画面４３０の上端に、複数の操作メニュー画面４３０のそれぞれに対応付けられた複数のタブ４３２を並べて表示する。操作メニュー画面表示部１６４は、ユーザ４０がいずれか一つのタブ４３２を例えばマウス１８により選択した場合、選択されたタブ４３２に対応付けられた１つの操作メニュー画面４３０を表示し、選択されていないその他の操作メニュー画面４３０を表示しない。そして、操作メニュー画面表示部１６４は、ユーザ４０によって選択するタブ４３２が切り換えられた場合、その切り換えに応じて操作メニュー画面４３０の表示も切り替える。
【００２５】
図４は、図３の表示状態からソート操作をした場合の表示画面の一例を示す図である。
ここで、タブ表示部１６６は、各タブ４３２上に、対応する閲覧用の操作メニュー画面４３０の内容をユーザに提示するテキスト４３４とともに、操作済指標を表示するチェックマーク４３８の表示手段としてのチェックボックス４３６を表示する。
タブ表示部１６６は、複数の操作メニュー画面４３０の少なくともひとつの操作メニュー画面４３０において特定の操作がされた場合に、少なくとも該操作メニュー画面４３０が非表示のときにおいて、特定の操作がされた操作メニュー画面４３０に対応するタブ４３２に、特定の操作がされた旨を示す操作済指標としてのチェックマーク４３８をチェックボックス４３６内に表示する。
【００２６】
図４に示すように、閲覧用の操作メニュー画面４３０を用いて特定の操作の一例としてのサムネイルのソート操作が実行された場合、タブ表示部１６６は、対応するタブ４３２のチェックボックス４３６内に、当該操作メニュー画面４３０に対して特定の操作がされたことを示す操作済指標としてのチェックマーク４３８を表示する。具体的には、タブ表示部１６６は、チェックマーク無しのタブ画像からチェックマーク付きのタブ画像に表示を切り替えることにより、チェックマーク４３８がタブ４３２上に追加されたように表示する。
【００２７】
図５は、図４の表示状態から、タブ４３２を操作することにより他の閲覧用の操作メニュー画面４３０を表示した場合の表示画面の一例を示す図である。
図５に示すように、特定の操作の一例としてのサムネイルのソート操作が実行された後に、タブ４３２が操作されて他の操作メニュー画面４３０が表示された場合、ソート操作の実行のための操作メニュー画面４３０が非表示となる。このような場合、タブ表示部１６６は、ソート操作の実行のための操作メニュー画面４３０に対応するタブ４３２上に、チェックマーク４３８を表示し続ける。
【００２８】
以上のように、画像処理装置１０は、操作済指標としてのチェックマーク４３８をタブ４３２上に表示する。これにより、画像処理装置１０によれば、操作メニュー画面４３０が隠れている状態で、当該操作メニュー画面４３０における特定の操作が行われたかどうかをユーザが認識することができる。
【００２９】
なお、画像処理装置１０は、操作後の画面から操作を行ったか否かが認識しにくい操作を特定の操作として行った場合に、チェックマーク４３８をタブ４３２上に表示してよい。例えば、サムネイル画像４２２をソートする操作等は、ソートしたという事実がサムネイル画像自身に表示されない。また、この場合、ソートに使ったソートキーは、サムネイル画像４２２には一緒に表示されているとは限らないので、当該ソートキーを用いて並び替えられたサムネイル画像４２２からは、ソートが行われたか否かは認識しにくい。このような画面自身に情報が表示されない操作等は、操作後の画面からはその操作が行われたことが認識しにくく、その操作が行われたか否かをユーザが確認することは非常に困難である。従って、画像処理装置１０は、このような操作について、タブ４３２上にチェックマーク４３８を表示することにより、操作性を向上させることができる。
また、画像処理装置１０は、チェックマーク４３８に代えて又はチェックマーク４３８に加えて、操作済指標として機能する視覚的に認識可能な他の情報を、タブ４３２上に表示してもよい。画像処理装置１０は、例えば、操作前と操作後とでタブ４３２の色又は形状等を変化させたり、操作前と操作後とでタブ４３２上のテキスト４３４のフォントを変化させたり、又は、操作済みを表す特殊なマークをタブ４３２上に表示してもよい。
【００３０】
図６は、編集処理中に表示される表示画面の一例を示す図である。
例えば、ブラウズウィンドウ４００内のサムネイル画像４２２がダブルクリックされた場合、画像編集処理部１７０は、編集の対象画像の実体データを画像情報格納部１２０から読み出して編集処理を開始する。また、編集処理が開始されると、編集画面表示部１８０は、編集ウィンドウ５００をディスプレイ１２上に表示する。編集ウィンドウ５００上には、右上端にクローズボタン５１０が設けられている。当該クローズボタン５１０が選択された場合、編集画面表示部１８０は当該編集ウィンドウ５００を閉じ、画像編集処理部１７０は編集処理を終了する。
【００３１】
編集対象画像表示部１８２は、編集ウィンドウ５００内に、対象画像５２０を表示する。操作メニュー画面表示部１８４は、編集ウィンドウ５００内に、当該編集処理においてユーザに提示する操作メニュー画面５３０を表示する。操作メニュー画面表示部１８４は、タブ表示部１６６の制御に応じて、複数の編集用の操作メニュー画面５３０を切り替え表示する。例えば、操作メニュー画面表示部１８４は、対象画像５２０に対してレタッチを行うための画面、対象画像５２０に対してトリミングを行うための画面等を表示する。編集用の操作メニュー画面５３０を利用してユーザが操作入力した場合、画像編集処理部１７０は、その操作入力に応じて、対象画像５２０に対して画像処理を行う。そして、操作メニュー画面表示部１８４は、画像編集処理部１７０により画像処理が反映された後の対象画像５２０を表示する。
【００３２】
タブ表示部１８６は、対象画像５２０の上端に、複数の操作メニュー画面５３０のそれぞれに対応付けられた複数のタブ５３２を並べて表示する。操作メニュー画面表示部１８４は、ユーザがいずれか一つのタブ５３２を例えばマウス１８により選択した場合、選択されたタブ５３２に対応付けられた１つの操作メニュー画面５３０を表示し、選択されていないその他の操作メニュー画面５３０を表示しない。そして、操作メニュー画面表示部１８４は、ユーザによって選択するタブ５３２が切り換えられた場合、その切り換えに応じて操作メニュー画面５３０の表示も切り替える。
【００３３】
ここで、タブ表示部１８６は、各タブ５３２上に、対応する編集用の操作メニュー画面５３０の内容をユーザに提示するテキスト５３４を表示するとともに、選択指標として用いられる丸印５３６を表示する。タブ表示部１８６は、選択されている操作メニュー画面５３０に対応するタブ５３２の丸印５３６については、操作メニュー画面５３０が選択されている旨を示す選択指標として強調表示をし、それ以外のタブ５３２の丸印５３６については、選択されていないことを示すため通常表示をする。具体的には、タブ表示部１８６は、通常の丸印付きのタブ画像から太い丸印のタブ画像に表示を切り替えることにより、タブ５３２上の丸印５３６が強調されたように表示する。これにより、画像処理装置１０によれば、操作メニュー画面５３０が選択されている旨と、当該操作メニュー画面５３０における特定の操作が行われたかどうかを別個にユーザが認識することができる。
【００３４】
図７は、編集処理が施された場合の表示画面の一例を示す図である。
タブ表示部１８６は、対象画像５２０に対して特定の操作がされた場合に、少なくとも該操作メニュー画面５３０が非表示のときにおいて、特定の操作がされた編集用の操作メニュー画面５３０に対応する各タブ５３２上に、操作済指標としての強調波線５３８を表示する。例えば、図７に示すように、編集用の操作メニュー画面５３０を用いて特定の操作の一例としてのレタッチが実行された場合、タブ表示部１８６は、対応するタブ５３２上に、当該操作メニュー画面５３０に対して特定の操作がされたことを示す操作済指標としての強調波線５３８を表示する。具体的には、タブ表示部１８６は、強調波線無しのタブ画像から強調波線が付いたタブ画像に表示を切り替えることにより、タブ５３２上に強調波線５３８が追加されたように表示する。
【００３５】
図８は、図７の表示状態から、タブ５３２を操作することにより他の編集用の操作メニュー画面５３０を表示した場合の表示画面の一例を示す図である。
図７に示すように、特定の操作の一例としてのレタッチが実行された後に、タブ５３２が操作されて他の操作メニュー画面５３０が表示された場合、レタッチのための操作メニュー画面５３０が非表示となる。このような場合、タブ表示部１８６は、レタッチの実行のための操作メニュー画面５３０に対応するタブ５３２上に、強調波線５３８を表示し続ける。
【００３６】
以上のように、画像処理装置１０は、操作済指標としての強調波線５３８をタブ５３２上に表示する。これにより、画像処理装置１０によれば、操作メニュー画面５３０が隠れている状態で、当該操作メニュー画面５３０における特定の操作が行われたかどうかをユーザが認識することができる。
【００３７】
なお、画像処理装置１０は、操作後の画面から、操作を行ったか否かが認識しにくい操作を特定の操作として行った場合に、強調波線５３８をタブ５３２上に表示してよい。例えば、シャープネス操作及びコントラスト操作等の画面全体に対して行われる編集操作等は、操作後の画面からはその操作がされたことが認識しにくく、その操作が行われたか否かをユーザが確認することは非常に困難である。従って、画像処理装置１０は、このような操作について、タブ５３２上に強調波線５３８を表示することにより、操作性を向上させることができる。
また、画像処理装置１０は、選択指標として丸印５３６を表示し、操作済指標として強調波線５３８を表示しているが、これらに代えて又はこれらに加えて、選択指標及び操作済指標として機能する視覚的に認識可能な他の情報を、タブ５３２上に表示してもよい。例えば、画像処理装置１０は、現在選択している操作メニュー画面５３０に対応するタブ５３２を通常表示とし、現在選択されておらず且つなんら操作がされていない操作メニュー画面５３０に対応するタブ５３２を周囲より薄くしたグレイアウト表示とし、現在選択はしていないが過去に何らかの操作が行われた操作メニュー画面５３０に対するタブ５３２を点滅表示又は光沢表示等の特殊表示とする。これにより、選択中の画面、操作済みの画面及び未選択画面のそれぞれの区別を、ユーザに対して明確に認識させることができる。
【００３８】
図９は、画像情報格納部１２０内に格納されている編集履歴情報２２０の一例である。
編集履歴情報２２０は、画像情報格納部１２０内に格納されている画像情報を特定する画像ＩＤ毎に、各操作メニュー画面５３０に対応するフラグが設定されている。各フラグは、対応する操作メニュー画面５３０に対応した編集処理がされたか否かを示す。画像編集処理部１７０は、編集処理の終了時において、対象画像に対応する画像ＩＤについての各フラグを、現在の編集状況に応じて更新する。そして、画像編集処理部１７０は、次回その画像について編集処理を行う場合、画像データを読み出すとともに、編集履歴情報２２０を読み出して、編集処理がされた操作メニュー画面５３０のタブ５３２に対して、強調波線５３８を表示する。
これにより、画像処理装置１０によれば、編集処理を再度行う場合であっても、対象画像５２０に対して過去に特定の操作が行われたかどうかをユーザが認識することができる。
【００３９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４０】
【図１】画像処理装置１０のハードウェア構成を示す概略図である。
【図２】画像処理装置１０の機能を説明する機能ブロック図である。
【図３】ブラウズ処理中の表示画面の一例を示す図である。
【図４】ソート操作した場合の表示画面を示す図である。
【図５】閲覧用の操作メニュー画面を切り換えた場合の表示画面を示す図である。
【図６】編集処理中に表示される表示画面の一例を示す図である。
【図７】レタッチによる編集処理が施された場合の表示画面を示す図である。
【図８】編集用の操作メニュー画面を切り換えた場合の表示画面を示す図である。
【図９】編集履歴情報２２０の一例を示す図である。
【符号の説明】
【００４１】
１０  画像処理装置、１２  ディスプレイ、１４  パーソナルコンピュータ、１６  キーボード、１８  マウス、２０  デジタルカメラ、３０  プリンタ、４０  ユーザ、１１０  アプリケーション処理部、１２０  画像情報格納部、１３０  取込部、１４０  プリント処理部、１５０  操作入力処理部、１６０  ブラウズ処理部、１６２  サムネイル表示部、１６４  操作メニュー画面表示部、１６６  タブ表示部、１７０  画像編集処理部、１８０  編集画面表示部、１８２  編集対象画像表示部、１８４  操作メニュー画面表示部、１８６  タブ表示部、２１０  画像情報、２２０  編集履歴情報、４００  ブラウズウィンドウ、４１０  クローズボタン、４２０  サムネイルリスト画面、４２２  サムネイル画像、４３０  操作メニュー画面、４３２  タブ、４３４  テキスト、４３６  チェックボックス、４３８  チェックマーク、５００  編集ウィンドウ、５１０  クローズボタン、５２０  対象画像、５３０  操作メニュー画面、５３２  タブ、５３４  テキスト、５３６  丸印、５３８  強調波線
【図１】
2007086825.tif 000003
【図２】
2007086825.tif 000004
【図３】
2007086825.tif 000005
【図４】
2007086825.tif 000006
【図５】
2007086825.tif 000007
【図６】
2007086825.tif 000008
【図７】
2007086825.tif 000009
【図８】
2007086825.tif 000010
【図９】
2007086825.tif 000011